(57)【特許請求の範囲】
【請求項１】
端末から導出された光ファイバ（Ｔ）にコネクタ（Ｃ）が装着されてなる光ファイバケーブル（２）の牽引具（Ｇ）であって、
牽引手段が連結された外装体（４８）と、
該外装体内部の牽引方向先端部に設けられたコネクタ収納部（１１）と、
該コネクタ収納部の牽引方向の基端側にあり、光ファイバケーブルの先端から導出されているテンションメンバ（７）を固定している、フランジ部（４２ａ）および剛直部（４２ｂ）からなる連結スリーブ（４２）と、
該連結スリーブの牽引方向の基端側に連結され、前記光ファイバケーブルの端末のシース（１５）を把持する留め部（１６）を有する把持部品（４０）とを備えてなり、
前記把持部品の牽引方向先端の連通孔（１３ａ）周縁の周縁壁部（１３）内面に設けられた係合凹部（４１）と係合した前記フランジ部と、前記連結スリーブの剛直部の外周面に設けられたネジ部（４２ｄ）にネジ結合され、前記把持部品の前記周縁壁部前面に当接された固定ナット（１９）とにより、前記連結スリーブが、前記把持部品の周縁壁部（１３）に固定されており、
前記剛直部の内、前記ネジ部から前記外装体における牽引方向先端側に突出した部分が、前記連結スリーブ内に形成されている挿通孔（４２ｃ）に挿入された前記テンションメンバをカシメ固定する部分として機能しており、
前記外装体に与えられた牽引力が前記留め部を介して光ファイバケーブルに伝達されるとともに、前記把持部品から前記固定ナット及び前記連結スリーブを介して前記光ファイバケーブルのテンションメンバにも伝達されるようになっていることを特徴とする光ファイバケーブルの牽引具。
【請求項２】
端末から導出された光ファイバ（Ｔ）にコネクタ（Ｃ）が装着されてなる光ファイバケーブル（２）の牽引具（Ｇ）であって、
牽引手段が連結された外装体（４８）と、
該外装体内部の牽引方向先端部に設けられたコネクタ収納部（１１）と、
該コネクタ収納部の牽引方向の基端側にあり、光ファイバケーブルの先端から導出されているテンションメンバ（７）を固定している、フランジ部（４２ａ）および剛直部（４２ｂ）からなる連結スリーブ（４２）と、
該連結スリーブの牽引方向の基端側に連結され、前記光ファイバケーブルの端末のシース（１５）を把持する留め部（１６）を有する把持部品（４０）とを備えてなり、
前記把持部品の牽引方向先端の連通孔（１３ａ）周縁の周縁壁部（１３）内面に係合された前記フランジ部と、前記連結スリーブの剛直部の外周面に設けられたネジ部（４２ｄ）にネジ結合され、前記把持部品の前記周縁壁部前面に当接された固定ナット（１９）とにより、前記連結スリーブが、前記把持部品の周縁壁部（１３）に固定されており、
前記剛直部の内、前記ネジ部から前記外装体における牽引方向先端側に突出した部分が、前記連結スリーブ内に形成されている挿通孔（４２ｃ）に挿入された前記テンションメンバをカシメ固定する部分として機能しており、
前記外装体に与えられた牽引力が前記留め部を介して光ファイバケーブルに伝達されるとともに、前記把持部品から前記固定ナット及び前記連結スリーブを介して前記光ファイバケーブルのテンションメンバにも伝達されるようになっていることを特徴とする光ファイバケーブルの牽引具。
【請求項３】
連結スリーブの内部には、テンションメンバ７が挿通される挿通孔（４２ｃ）が貫通されていることを特徴とする請求項１又は２記載の光ファイバケーブルの牽引具。
【発明の詳細な説明】
【０００１】
【発明に属する技術分野】
本発明は、光ファイバケーブルの牽引具に関し、特に端末から導出された光ファイバ芯線に光接続用コネクタが装着された光ファイバケーブルを牽引するための牽引具に関する。
【０００２】
【従来の技術】
光ファイバケーブルの付設にあっては、一般に、当該光ファイバケーブルの端末に装着した牽引具をウインチ等で牽引する方法が用いられている。一般に、図５（ａ）に示すように、例えば、電話回線用の光通信網を布設する際、電話局１からのファイバケーブル２は、図５（ｂ）、（ｃ）に示すように、牽引具の先端に連結された牽引ロープ４をウィンチ４ａあるいは牽引機４ｂを駆動して、牽引ロープ４を捲き取ることにより、牽引方向の反対側（図中右側）に設置したケーブルドラム６から光ファイバケーブルを捲き出して光ファイバケーブル２を布設する。
また、地上に複数列設された支柱の間に光ファイバケーブル２を布設する場合においても、光ファイバケーブル２の先端に装着された牽引具５に牽引手段である牽引ロープを取り付け、該牽引ロープ４を前記ウインチ等の牽引具によって牽引して布設する。
【０００３】
従来、光ファイバケーブルの牽引具（以下、牽引具と略称する）として、図３に示すように、コネクタＣを装着した光ファイバＴを内部に収納するコネクタ収納部１１を画成し、牽引ロープ４が連結される牽引金具９を有する外装体８と、この外装体８の牽引方向基端部にネジ２５によってネジ止めされた把持部品１０と、この把持部品１０の牽引方向先端部に設けられた連結孔１３ａに挿通された連結スリーブ１２とから構成されている外装牽引型と呼ばれる牽引具５が用いられている。なお、光ファイバケーブル２から口出しされた光ファイバＴの先端にはコネクタＣが装着されており、このコネクタＣは牽引布設の完了後に他の光ファイバケーブルから口出しされた光ファイバとの接続のために用いられる。
【０００４】
この外装牽引型牽引具５の基端側に位置する把持部品１０は、光ファイバケーブル２の先端部を外側から把持し、また連結スリーブ１２はテンションメンバ７を固定して支持する役割を有している。
【０００５】
前記把持部品１０は略円錐台状の形状を有し、この把持部品１０の牽引方向基端部は前述の外装体８の基端部にネジ２５によってネジ留めされている。そして、把持部品１０の中央部には留め部１６が設けられ、この留め部１６の鬼目１６ａによって光ファイバケーブルの先端部のシース１５が噛み合わされ固定されている。一方、把持部品１０の牽引方向先端部には連通孔１３ａが穿設され、この連通孔１３ａの内部に連結スリーブ１２が一定のクリアランスを介して挿入されれている。
【０００６】
図４（ａ）に、牽引具５の把持部品１０と連結スリーブ１２によって光ファイバケーブル２とテンションメンバ７とがそれぞれ把持固定されている状態を示している。光ファイバケーブル２は、前述のように把持部品１０の留め部１６に把持固定されている。そして、光ファイバケーブルから導出されたテンションメンバ７は、連結スリーブ１２に固定される。
図４（ｂ）に連結スリーブ１２の断面形状を示す。連結スリーブ１２は円筒状部材であり、連結スリーブ１２は、牽引方向先端の剛直部１２ｂと、その剛直部１２ｂの基端部に突設されたフランジ部１２ａとからなり、フランジ部１２ａから剛直部１２ｂの中央部にかけて穴１２ｃが穿設され、さらに、剛直部１２ｂの牽引方向先端にネジ１２ｄが設けられている。
図４（ｃ）に示すように、前記光ファイバケーブル２から導出されたテンションメンバ７は、その先端が前記連結スリーブ１２の孔１２ｃに挿入され、この穴１２ｃのフランジ部１２ａを除く部分（図中ｌと示された部分）が圧縮変形されることによって、テンションメンバ７がカシメて圧着固定されている。
【０００７】
コネクタＣが装着された光ファイバＴがコネクタ収納部１１内に収納され、光ファイバケーブル２とテンションメンバ７の牽引具５への装着が完了した後、牽引具５を牽引して光ファイバケーブル２の布設が行われる。
上述の牽引具５を用いて光ファイバケーブル２が牽引される際、牽引力の一部はテンションメンバ７に引張力として印加され、このテンションメンバ７に印加された引張力は、連結スリーブ１２にカシメて固定されているテンションメンバ７によって負担される。
【０００８】
【発明が解決しようとする課題】
最近、加入者系光通信網の構築が進められている。加入者系光通信網の構築には長距離に亘って光ファイバケーブルを布設することが必要であり、上述の牽引具は長距離布設に対して、テンションメンバを圧着固定している連結スリーブの圧着固定部の保持強度が不足しているため、テンションメンバが牽引時に連結スリーブから外れ、布設が中断されるという問題が生じた。光ファイバケーブルを牽引具に装着して牽引する際、牽引力は光ファイバケーブルのシース留め部のみに負担されるのではなく、牽引力の一部は把持部品の先端を介してテンションメンバにも伝えられる。このため、長距離布設のように大きな牽引力で牽引具を牽引引張する際、テンションメンバを圧着固定している連結スリーブの圧着固定部が長距離布設の場合の大きな牽引力に耐える保持強度を有しないと、前述のように連結スリーブからテンションメンバが外れ牽引ができなくなるという問題が生ずる。
【０００９】
すなわち、牽引具５に光ファイバケーブル２およびテンションメンバ７を装着し、光ファイバケーブル２が牽引されると、外装体８に固定されている把持部品１０が牽引方向に牽引され、把持部品１０に留められた光ファイバケーブル２が牽引される。同時に、連結スリーブ先端の固定ナットがワッシャ１８を介して把持部品に当接し、テンションメンバ７に引張力が印加される。この結果、テンションメンバ７をカシメて固定している連結スリーブ１２の圧着固定部が引張力の一部を負担する。長距離布設のためには、連結スリーブのに圧着固定部の耐引張力を増加させる対策が必要となる。
【００１０】
連結スリーブ１２の圧着固定部の耐張力を増加するためには、連結スリーブ１２の圧着固定部の長さｌをより長くすることが考えられる。しかし、設計計算の結果、長距離布設に充分な耐張力を付与するための圧着固定部の長さは、従来の外装牽引型牽引具５の１．５倍（１．５Ｘｌ）が必要であると計算された。しかし、従来の牽引具の構成のまま圧着固定部の長さを１．５Ｘｌとすることは、長い連結スリーブとすることを意味し、連結スリーブ１２がコネクタ収納部１１内に飛び出し、コネクタ収納部１１の収納空間を狭めたり、逆に収納空間を維持するためには牽引具全体の長さを長くする必要があるなどの新たな問題が生ずる。何故なら、牽引具は、心線数が増加の一途をたどっている光ファイバケーブルを装着できるようにコネクタ付光ファイバの収納容量が大きいこと、また、曲がり管路内の布設の際など光ファイバケーブルに損傷を与えないため、牽引具は現状の長さ以上としないこと等が要請されるからである。
【００１１】
この発明は、以上のような背景の下になされたもので、コネクタを装着した光ファイバの収納容量を犠牲にせず、また、牽引具の長さを現状の長さ以上としない条件で、長距離布設を可能とするに充分な耐張力を有する、光ファイバケーブルの牽引具を提供することを目的とした。
【００１２】
【課題を解決するための手段】
本発明は、前記課題を解決するために以下の構成を採用した。すなわち、本発明の光ファイバケーブルの牽引具は、牽引金具（９）が連結された外装体（４８）と、該外装体内部の牽引方向先端部に設けられたコネクタ収納部（１１）と、該コネクタ収納部の牽引方向の基端側にあり、光ファイバケーブルの先端から導出されているテンションメンバ（７）を固定している、フランジ部（４２ａ）および剛直部（４２ｂ）からなる連結スリーブ（４２）と、該連結スリーブの牽引方向の基端側に連結され、前記光ファイバケーブルの端末のシース（１５）を把持する留め部（１６）を有する把持部品（４０）とを備えてなり、前記把持部品の牽引方向先端の連通孔（１３ａ）周縁の周縁壁部（１３）内面に設けられた係合凹部（４１）と係合した前記フランジ部と、前記連結スリーブの剛直部の外周面に設けられたネジ部（４２ｄ）にネジ結合され、前記把持部品の前記周縁壁部前面に当接された固定ナット（１９）とにより、前記連結スリーブが、前記把持部品の周縁壁部（１３）に固定されており、前記剛直部の内、前記ネジ部から前記外装体における牽引方向先端側に突出した部分が、前記連結スリーブ内に形成されている挿通孔（４２ｃ）に挿入された前記テンションメンバをカシメ固定する部分として機能しており、前記外装体に与えられた牽引力が前記留め部を介して光ファイバケーブルに伝達されるとともに、前記把持部品から前記固定ナット及び前記連結スリーブを介して前記光ファイバケーブルのテンションメンバにも伝達されるようになっている構成とした。
また、本発明の光ファイバケーブルの牽引具は、牽引金具（９）が連結された外装体（４８）と、該外装体内部の牽引方向先端部に設けられたコネクタ収納部（１１）と、該コネクタ収納部の牽引方向の基端側にあり、光ファイバケーブルの先端から導出されているテンションメンバ（７）を固定している、フランジ部（４２ａ）および剛直部（４２ｂ）からなる連結スリーブ（４２）と、該連結スリーブの牽引方向の基端側に連結され、前記光ファイバケーブルの端末のシース（１５）を把持する留め部（１６）を有する把持部品（４０）とを備えてなり、前記把持部品の牽引方向先端の連通孔（１３ａ）周縁の周縁壁部（１３）内面に係合された前記フランジ部と、前記連結スリーブの剛直部の外周面に設けられたネジ部（４２ｄ）にネジ結合され、前記把持部品の前記周縁壁部前面に当接された固定ナット（１９）とにより、前記連結スリーブが、前記把持部品の周縁壁部（１３）に固定されており、前記剛直部の内、前記ネジ部から前記外装体における牽引方向先端側に突出した部分が、前記連結スリーブ内に形成されている挿通孔（４２ｃ）に挿入された前記テンションメンバをカシメ固定する部分として機能しており、前記外装体に与えられた牽引力が前記留め部を介して光ファイバケーブルに伝達されるとともに、前記把持部品から前記固定ナット及び前記連結スリーブを介して前記光ファイバケーブルのテンションメンバにも伝達されるようになっている構成とした。
また、本発明の光ファイバケーブルの牽引具において、連結スリーブの内部には、テンションメンバ７が挿通される挿通孔（４２ｃ）が貫通されていても良い。
【００１３】
【発明の実施の形態】
以下、この発明の光ファイバケーブルの牽引具の一実施の形態を、図１および図２（ａ）、（ｂ）を参照して説明する。
図中、符号Ｇは本実施の形態の光ファイバケーブルの牽引具（以下、「牽引具」と略称する）であり、符号４２は本牽引具Ｇの連結スリーブ、４８は本牽引具Ｇの外装体、符号４０は本牽引具Ｇの把持部品である。本実施の形態の牽引具Ｇの前記図４に記載の牽引具５と異なる点は、新たな構造の連結スリーブ４２、外装体４８、および把持部品４０を用いたことである。図１および図２中、変更された連結スリーブ４２、外装体４８、把持部品４０以外は前記図３および図４と同一の符号を付しその説明を簡略化する。
【００１４】
図１は、本発明の外装牽引型牽引具Ｇの構成を、図２（ａ）は本牽引具の基端部の構成を、また、図２（ｂ）、図２（ｃ）は本発明の牽引具の連結スリーブ４２の形状を示している。
【００１５】
本牽引具Ｇは、先端金具４８ａ、基端金具４８ｂおよび金属管４８ｃが連結されてなる外装体４８に画成された内部に、牽引方向先端から、コネクタ収納部１１、連結スリーブ４２、連結スリーブ４２が連結されている把持部品４０が設けられ、前記外装体４８の基端部の基端金具４８ｂに、ネジ２５によって把持部品４０が固定されて構成されている。なお、前記外装体４８の中央部の金属管４８ｃは波目管と金属メッシュを組み合わせることにより可撓性を持たせた金属管とされている。
【００１６】
図２（ａ）、（ｂ）、（ｃ）に示すように、本牽引具Ｇは、新しい構造の連結スリーブ４２が用いられている。この構造は、テンションメンバの耐張力を増加させるために採用された。
牽引具Ｇに光ファイバケーブルは次のように装着される。すなわち、光ファイバケーブル２の先端のシース１５は把持部品４０の留め部１６によって把持固定され、一方、光ファイバケーブル２の先端から導出されたテンションメンバ７は、連結スリーブ４２内部の挿通孔４２ｄ内に挿通され、連結スリーブ４２の剛直部４２ｂの先端部が圧縮変形されることによりカシメて圧着固定されている。
【００１７】
また、把持部品４０はその基端部において、前記外装体の基端部金具４８ｂにネジ２５によって固定されている。
そして、前記把持部品４０の牽引側先端には、連通孔１３ａが設けられ、連結スリーブ４２が挿通されている。
【００１８】
図２（ｂ）に示すように、新しい構造の連結スリーブ４２は、円筒状の剛直部４２ｂ、フランジ部４２ａからなり、内部はテンションメンバ７が挿通される挿通孔４２ｃとされ、前記剛直部４２ｂの中央部にネジ４２ｄが設けられている。フランジ部４２ａは剛直部１２ｂの牽引方向基端部に突設され、このフランジ部４２ａは、後述の把持部品４０の周縁壁部１３の内面に形成された後述の係合凹部４１と係合される。また、図２（ｂ）に示すように、フランジ部４２ａは、直径Ｄの円盤の直径方向両端部を、距離ｄを保って離間する互いに平行な２直線４３、４３で切り欠いた形状とされている。
【００１９】
本牽引具Ｇの把持部品４０が従来の把持部品１０と異なるのは、前記係合凹部４１が設けられた点のみである。把持部品４０は、その外面が略円錐台状の筒状体であって、この円錐台の頂点に位置する牽引方向の先端が、前記連結スリーブ４２の連通孔１３ａとされている。連通孔１３ａの周縁壁部１３の内面には、前記連結スリーブ４２のフランジ部４２ａと係合するための係合凹部４１が形成されている。係合凹部４１は、前記フランジ部４２ａと係合するように、直径Ｄの円盤の直径方向両端部が、距離ｄを保って互いに平行な２直線で切りかかれた形状の凹部とされている。従って、前記フランジ部４２ａが係合凹部２０に係合すると、フランジ部４２ａの回転は阻止される。
【００２０】
一方、前記把持部品４０の連通孔１３ａに挿通されている連結スリーブ４２の剛直部４２ｂの中央部には、図２（ｃ）に示すように、ネジ４２ｄが設けられている。そして、このネジ４２ｄにナット１９がネジ結合されて、このナット１９が、前記把持部品４０の周縁壁部１３の牽引方向外面に当接することにより、連結スリーブ４２が把持部品４０に固定される。
【００２１】
図２（ａ）に示すように、光ファイバケーブル２の先端のシース１５は、把持部品４０の留め部１６に固定され、光ファイバケーブル２から導出されたテンションメンバ７は連結スリーブ４２の挿通孔４２ｃ内に挿通され、連結スリーブ４２のネジ４２ｄの先端から剛直部４２ｂの先端までの部分（図中Ｌと表示された部分）が圧縮変形され、この部分でテンションメンバ７が圧着固定されている。
【００２２】
従来は、図４（ｂ）に示されるように、テンションメンバ７は、連結スリーブ１２の中央部の長さｌの部分にカシメて固定されていた。しかし、本願の構成においては、図２（ｃ）に示されるように、ナット１９が把持部品４０の周縁壁部１３前面に当接する位置に移動したため、連結スリーブ４２の先端部の長さＬの部分がテンションメンバ７をカシメて固定する部分とすることができた。この長さＬは、従来の長さｌに対して、１．５倍の長さであるため、連結スリーブ４２の長さは従来の連結スリーブ１２と同じ長さで、テンションメンバ７の保持力、すなわち、牽引具Ｇの牽引に対する耐引張力を長距離布設に必要な１．５倍とすることができている。
【００２３】
また、前記把持部品４０の牽引方向先端には、連通孔１３ａを挿通して固定された連結スリーブ４２の剛直部４２ｂの先端と、その剛直部４２ｂを周縁壁部１３に固定しているナット１９が飛び出しているのみであり、これらはコネクタ収納部１１への光ファイバＴの導入および収納に支障を与えることは無い。この結果、本構成の牽引具Ｇは、コネクタを装着した光ファイバの収納容量を犠牲にすることなく、むしろ収納容量が増加ししかも収納の自由度が増加したといえる。
【００２４】
本実施の形態の牽引具Ｇは、光ファイバケーブル２のシース１５を把持部品４０の留め部１６によって固定し、テンションメンバ７を連結スリーブ４２の先端をカシメて固定し、連結スリーブ４２を把持部品４０にナット１９をネジ留め固定した後、把持部品１０を外装体４８の基端金具４８ｂに、ネジ２５によって固定して組み立てられる。
【００２５】
【発明の効果】
以上説明したように、本発明のファイバケーブルの牽引具は、外装体内に牽引方向先端から順に、コネクタ収納部、テンションメンバを固定している連結スリーブおよび光ファイバケーブルを把持している把持部品とを備えてなり、光ファイバケーブルから導出されたテンションメンバは、連結スリーブ剛直部の牽引方向の先端部の長さＬ（従来の圧着固定部の長さの１．５倍）を圧着固定部とすることによりカシメて固定されている。
【００２６】
この構成によれば、光ファイバケーブルを長距離布設するために必要な耐張力が従来と同じ長さの連結スリーブによって確保されている。すなわち、従来と同じ長さの連結スリーブを用い、固定ナットを把持部品の周縁壁部に当接する構成とすることによって、連結スリーブの中央に形成されたネジの先端から剛直部の先端までを圧着固定部とすることができたため、必要な圧着固定部の長さＬ（＝１．５ｘｌ）が確保された。この結果、牽引具全体の長さを変えることなく、長距離布設に必要な耐張力を有する外装牽引型牽引具が得られた。
【００２７】
また、上記のように構成された外装牽引型牽引具によれば、把持部品先端からコネクタ収納部には、連結スリーブの剛直部先端と固定するナットのみが飛び出している。従って、光ファイバと光ファイバに装着されたコネクタを収納するための収納空間はむしろ拡大され、収納容量が犠牲とされることなく、自由にコネクタ付光ファイバを収納することができる。
そして、本外装牽引型牽引具は従来と同じ寸法であり、かつ外装体の中央部に可撓性を付与することにより、布設の際に光ファイバケーブルが損傷を受けることはなく、迅速に布設作業を進めることができる。
【００２８】
また、連結スリーブのフランジ部が、把持部品の周縁壁部内面の係合凹部に回転が阻止されて係合するため、光ファイバケーブルの布設時に生ずる光ファイバの捻回による連結スリーブの回転、または変形は抑止できるため、光ファイバケーブルが損傷を受けることはない。
さらに、本牽引具の外装体が可撓性を持つようにされた金属管により構成されているため牽引具が湾曲可能であり、例えば、湾曲した管内に、牽引具を湾曲させつつ、光ファイバケーブルを布設することができる。このため、光ファイバケーブルは損傷を与えることなく、能率良く長距離布設を行うことができる。
【図面の簡単な説明】
【図１】本発明の光ファイバケーブルの外装牽引型牽引具の概略の構成を示す概略構成図である。
【図２】本発明の光ファイバケーブルの外装牽引型牽引具基端部へ光ファイバケーブルおよびテンションメンバを装着した状態を示す基端部概略構成図である。
【図３】従来の光ファイバケーブルの外装牽引型牽引具の概略の構成を示す概略構成図である。
【図４】従来の光ファイバケーブルの外装牽引型牽引具への光ファイバケーブルおよびテンションメンバの装着状態を説明するための説明図である。
【図５】光ファイバケーブル線路の構成と布設状況とを説明する説明図である。
【符号の説明】
Ｇ…牽引具、２…光ファイバケーブル、Ｔ…光ファイバ、Ｃ…コネクタ、７…テンションメンバ、１３…周縁壁部、１６…留め部、４０…把持部品、４１…係合凹部、４２…連結スリーブ、４８…外装体、
【図１】
0003576293.tif 000002
【図２】
0003576293.tif 000003
【図３】
0003576293.tif 000004
【図４】
0003576293.tif 000005
【図５】
0003576293.tif 000006